(57)【要約】【課題】レーシングポニーを使用する際に、作業者が自己にとって作業しやすい状態にレーシングポニーを迅速かつ簡便に調節することを可能にするレーシングポニーを提供する。【解決手段】台部材１と、台部材に対し垂直に設けられる２つのアーム部材３，４と該２つのアーム部材３，４の上端部の間隔を一時的に狭めることにより、該２つのアーム部材の上端部間の間隙に介在する被処理物を固定保持することが可能な加圧部材と、該２つのアーム部材の下部での間隔を埋めるスペーサー部材２と、を含んで構成されるレーシングポニーにおいて、前記台部材１とその他の前記部材との間に、高さが可変で限界範囲内の任意の高さにロック可能な伸縮部材９を固定する。【選択図】  図２
2020186319.tif 000002
【特許請求の範囲】
【請求項１】
台部材と、該台部材に対し垂直に設けられる２つのアーム部材と、該２つのアーム部材の上端部の間隔を一時的に狭めることにより、該２つのアーム部材の上端部間の間隙に介在する被処理物を固定保持することを可能にする加圧部材と、該２つのアーム部材の下部での間隔を埋めるスペーサー部材と、を含んで構成されるレーシングポニーであって、前記台部材とその他の前記部材との間に、高さが可変で限界範囲内の任意の高さにロック可能な伸縮部材を固定したことを特徴とするレーシングポニー。
【請求項２】
前記伸縮部材はその上端が、前記スペーサー部材のみに接触している請求項１に記載のレーシングポニー。
【請求項３】
前記スペーサー部材が表彰台形状であり、前記２つのアーム部材がそれぞれその２位と３位の段に隙間なく立設されている請求項２に記載のレーシングポニー。
【請求項４】
前記伸縮部材はその上端が、前記スペーサー部材および、前記２つのアーム部材の少なくとも一つのみに接触している請求項１に記載のレーシングポニー。
【請求項５】
前記伸縮部材はその上端が、前記２つのアーム部材のみに接触している請求項１に記載のレーシングポニー。
【請求項６】
前記加圧部材は前記２つのアーム部材に穿たれた雌ねじに螺合したボルト付き雄ネジと、該雄ネジに螺合したナットとを含んで構成される締め付け機構である請求項１に記載のレーシングポニー。
【請求項７】
前記台部材は、該台部材から前記伸縮部材を該台部材上に載置した部分を除いたスペースが、作業者の両足を載せるのに十分な大きさを有するものである、請求項１に記載のレーシングポニー。
【請求項８】
前記台部材は、長さが５０ｃｍ以上１５０ｃｍ以下、幅が２０ｃｍ以上５０ｃｍ以下の平板である請求項１に記載のレーシングポニー。
【請求項９】
前記伸縮部材は、ロック解除したとき、上端部が下端部に対して中心軸周りに回転可能になり、任意の方角でロックできるようになっている請求項１に記載のレーシングポニー。
【請求項１０】
前記２つのアーム部材の少なくとも1つと前記スペーサー部材とが1ブロックから切り出された一体物である請求項１に記載のレーシングポニー。
【発明の詳細な説明】
【技術分野】
【０００１】
本発明は、レザークラフト(革細工)等の手工作業において用いられるレーシングポニーに関するものであり、特にその高さが調整可能に設計されたレーシングポニーに関する。
【背景技術】
【０００２】
レーシングポニー(lacing pony)は、古くは木ばさみと呼ばれ、現在はステッチングポニー（stitching pony）あるいはステッチングベンチ（stitching bench）、ステッチングツリー（stitching tree）などとも呼ばれ、２つのアームの間で被加工物を固定する装置であり、レザークラフト等の作業においては、なくては不便な道具である。特に両手を使う作業、例えば２本の縫い針を使う縫いつけ、あるいは接着において接着剤が硬化するまでの固定手段として有用である。このように万力に似た作用と効果を有するが、万力に求められるほどの強力な固定が求められない手工芸作業現場においては、一般に木製で軽便なレーシングポニーが愛用されている。
【０００３】
レーシングポニーの基本的構成は、土台となる平板とこれの端部又は中央部に垂直に載る二つのアームとこれらのアームの上端部を閉じることにより被加工品をアーム上端部間に固定する加圧手段からなる。レーシングポニーを使用して作業する場合は、作業者は例えば椅子に前記平板をそれが前後方向になるように載せ、これをまたぐようにして座して前記平板の部分を膝の裏の部分で押さえて体重をかけ、レーシングポニーを固定させるようにして作業する。
【発明の概要】
【発明が解決しようとする課題】
【０００４】
しかし、従来のレーシングポニーは、高さが一定で調整ができないので、購入したレーシングポニーが、作業者の身長、座高等に適合していることはまれであり、そのまま使用すると、不自然な姿勢で作業をすることになり、作業能率を下げたり、身体的不具合を招くことがあった。熟練作業者は自分とレーシングポニーの相対的高さを調整するために土台平板の下に敷物を置いたり、椅子の上に座布団を重ねたり、より低い椅子を選んだりして、この問題を解決するのであるが、熟練していない作業者にとってはレーシングポニーを使用する前に、その都度レーシングポニーを、自分が作業しやすい適切な状態となるように調節することは煩雑な準備作業であり、手間がかかる。また、個人専用のレーシングポニーではなく、複数の作業員が交代で使用して作業するファクトリーや家内作業場ではレーシングポニーを各自がそれぞれ適切な状態に配置するための準備作業が必要となり不便であった。
【０００５】
このような状況に鑑み、本発明は、レーシングポニーを使用する際に、作業者が自己にとって作業しやすい状態にレーシングポニーを迅速かつ簡便に調節することを可能にするレーシングポニーを提供することを課題とする。なお、このような課題は、本発明者によって初めて見出されたものであり、従来、このような課題は他者によって認識されたことはない。
【課題を解決するための手段】
【０００６】
上記課題を解決するために、本発明者は鋭意検討した結果、被加工物を留めるアーム部材の高さを自由に変えることができるレーシングポニーを開発することに成功した。すなわち本発明は以下に示すものである。
【０００７】
第１の発明においては、レーシングポニーを台部材と、該台部材に対し垂直に設けられる２つのアーム部材と、２つのアーム部材の上端部の間隔を一時的に狭めることにより、該２つのアーム部材の上端部間の間隙に介在する被処理物を固定保持することを可能にする加圧部材と、該２つのアーム部材の下部での間隔を埋めるスペーサー部材と、を含んで構成されるレーシングポニーにおいて、前記台部材とその他の前記部材との間に、高さが可変で限界範囲内の任意の高さにロック可能な伸縮部材を固定した。なお、この伸縮部材は、ロック機能付きの伸縮自在部材であり、本発明の実施例のものに限定されない。また、上記２つのアーム部材の少なくとも1つとスペーサ部材とが1ブロックから切り出された一体物であってもいい。
【０００８】
第２の発明は、上記第１の発明において、伸縮部材はその上端が、前記スペーサー部材のみに接触していることとした。
【０００９】
第３の発明では、上記第２の発明において、前記スペーサー部材が表彰台形状（縦断面凸字形状）であり、前記２つのアーム部材がそれぞれその２位と３位の段（両サイドの段）に隙間なく立設されているようにした。
【００１０】
第４の発明は、前記第１の発明において、上記伸縮部材はその上端が、前記スペーサー部材および、前記２つのアーム部材の少なくとも一つのみに接触していることとした。
【００１１】
第５の発明は、前記第１の発明において、上記伸縮部材はその上端が、前記２つのアーム部材のみに接触しているようにした。
【００１２】
第６の発明においては、上記第１の発明において、前記加圧部材は前記２つのアーム部材に穿たれた雌ねじに螺合したボルト付き雄ネジと、該雄ネジに螺合したナットとを含んで構成される締め付け機構であることとした。ただし、加圧部材はこの機構に限定されるものでなく、あらゆる適用可能な既存の締め付け機構を用いることが可能である。
【００１３】
第７の発明は、第１の発明において、レーシングポニーの重量と高さが従来のものより増大したので、安定性を保つために、かつ踏みやすくするために台部材のサイズを大きくした。本発明においては、台部材は、該台部材から前記伸縮部材を該台部材上に載置した部分を除いたスペースが、作業者の両足を載せるのに十分な大きさを有するものとすることができ、この点は両足を載せることを想定していない従来品の台部材とは大きく異なっている。このような前記台部材の具体的な大きさについて、種々のサイズを試作し実験した結果、長さが５０ｃｍ以上１５０ｃｍ以下、幅が２０ｃｍ以上５０ｃｍ以下の平板とすることができる。好ましくは長さが１００cm以上１５０ｃｍ以下であり、幅が３０ｃｍ以上５０ｃｍ以下である。
【００１４】
第８の発明は、作業者が被加工物を好きな角度でアプローチしたい場合のために、第１の発明において、前記伸縮部材は、ロック解除したとき、上端部が下端部に対して中心軸周りに回転可能であり、任意の方角でロックできるようにした。  
【発明の効果】
【００１５】
本発明は、前記台部材とその他の前記部材との間に、高さが可変で限界範囲内の任意の高さにロック可能な伸縮部材を固定したので、伸縮部材の限度範囲が許す任意の高さにレーシングポニーを伸縮することができるので、作業者は他の用具を用いることなく、レーシングポニーを自分に適した高さに調節でき、また作業終了後には最低高さにしてコンパクトな保護ケース等に保管することができる。
【図面の簡単な説明】
【００１６】
【図１】一般的な従来のレーシングポニーの構成を示した斜視図である。
【図２】本発明のレーシングポニーの一態様の斜視図である。
【発明を実施するための形態】
【００１７】
以下、本発明について図面を参照しながら詳細に説明する。
【００１８】
まず、本発明の一般的な構成について説明する。図１は、一般的な従来のレーシングポニーの構成を示した斜視図である。図中、参照番号１は台部材、２はスペーサー部材、３と４はアーム部材、５と６は突起部材、７は本発明の加圧部材であり、ボルトの機能を有するネジつまみに対応するものである。８は同じく本発明の雄ネジに対応するものである。
【００１９】
図２は本発明のレーシングポニーの一態様の斜視図である。図中、参照番号１は台部材（台板）、２は表彰台形状のスペーサー部材、３と４はアーム部材、５と６は突起部材、５ａと６ａは突起部材５，６の一部とアーム部材３，４の一部をそれぞれ覆うように張り付けられた革製のクッション部材、７はボルトの機能を有するネジつまみ（加圧部材）、８は雄ネジ、そして９は高さが可変で限界範囲内の任意の高さにロック可能な伸縮部材である。また１０は伸縮部材の上端をスペーサー部材２に固定するための締め付けネジの一部とネジつまみの組み合わせ体（蝶ボルト）である。前記クッション部材５ａと６ａを少なくともアーム部材３，４の被処理物との接触面に設けることにより、アーム部材３，４による被処理物の保持をより安定化させることができる。
【００２０】
図２において、９ａと９ｂは伸縮部材９のロックをオン（有効）またはオフ（解除）にするためのクリップ機構で、図２の状態はロックがオンである。伸縮部材９は、その高さを調節できる構造体であれば、その具体的構成は限定されず、周知の構造体を適用することができる。図２に示した例においては、伸縮部材９の高さ、方向を調節する場合は、まず、上側クリップ機構９ａおよび下側クリップ機構９ｂによる固定状態を解除してロックをオフにし、次いで、伸縮部材９を引き伸ばし、あるいはその長さを縮めて所望する長さにするとともに、伸縮部材９を回転させて所望する向きに調節し、最後に上側クリップ機構９ａおよび下側クリップ機構９ｂにより伸縮部材９の長さ、向きを固定させてロックをオンにすることにより、本発明のレーシングポニーを個々の作業車にとって作業しやすい高さ、方向に調節する。
【実施例】
【００２１】
以下に実施例を示して本発明を具体的に説明するが、本発明は下記の実施例に限定されるものではない。例えば、台部材は撮影用の三脚の部分を転用したものでもよい。さらには、台部材が譜面台のように、伸縮部材と協働するものを用いた場合も均等論的に本願発明の範囲に属するものである。
【００２２】
［実施例１］
レーシングポニーとして、図２に示したものを作製した。台板のサイズは１００ｃｍ×４０ｃｍ×１．９ｃｍ、であった。台板が床を傷つけたり、床の振動により滑るのを防止する目的で、台板の裏側に、滑り止め及びキズ防止用クッションシートを四隅に貼りつけた（不図示）。
本発明者は起立した状態で、このレーシングポニーの突起部材５，６間に被処理物としてあらかじめ糸穴をパンチした革２枚を重ねて挟み、これらを加圧部材で強く固定し、両手で縫い合わせた。台板には作業靴をはいた右足だけを載せたり、左足だけを載せたりして、３０分作業した。終始レーシングポニーは安定姿勢を保ち、作業に支障を与えるような、揺れはなかった。
次に、椅子を持ってきて、これに座り、伸縮部材９のロックをオフ（解除）にし、同部材を自分の目の位置に被処理物がくるように、適切な丈だけ短くしてかつ同部材の上部を４５度左回転してロックした。この状態で両足の先を台板に載せ、１時間作業した。加圧部材を緩め、縫い合わせた革をレーシングポニーから取り外した。新しい位置での作業であったが、迅速かつ簡便に作業しやすい位置を特定して調節することができ、また作業において体に疲れを感じなかったし、製品の出来具合も合格であった。
【００２３】
［実施例２］
最初に座ってレーシングポニーを用いて作業をした後、続いてレーシングポニーを適切な丈だけ伸ばして起立した状態で作業を行った以外は、実施例１と同様に作業を行った。その結果、新しい位置での作業であったが、迅速かつ簡便に作業しやすい位置を特定して調節することができ、また作業において体に疲れを感じなかったし、製品の出来具合も合格であった。
【符号の説明】
【００２４】
１  台部材
２  スペーサー部材
３  アーム部材
４  アーム部材
５  突起部材
６  突起部材
５ａ  クッション部材
６ａ  クッション部材
７  加圧部材（ネジつまみ）
８  雄ネジ
９  伸縮部材
９ａ  上側クリップ機構
９ｂ  下側クリップ機構
１０  締め付けネジとネジつまみの組み合わせ体
【図１】
2020186319.tif 000003
【図２】
2020186319.tif 000004